(57)【特許請求の範囲】
【請求項１】
光源から射出された光を、入力される画像情報に応じて変調する光変調装置と、
変調した光学像を拡大投射する投射光学装置とを備えるプロジェクタ本体と、
記録媒体を挿抜するための挿抜口を有し、前記プロジェクタ本体に前記画像情報を出力する画像出力装置と、
前記画像出力装置における投射面側に設けられた操作部と、
前記操作部の操作による前記記録媒体の挿抜動作を検出する挿抜動作検出手段と、
前記プロジェクタ本体および前記挿抜動作検出手段を制御する制御手段と、を備えるプロジェクタであって、
前記制御手段は、
前記挿抜動作検出手段の検出結果に基づいて、前記記録媒体の挿抜動作状態であるか否かを認識する挿抜動作認識部と、
前記挿抜動作認識部により挿抜動作状態であると認識された場合に、前記投射光学装置から射出される光の輝度を低くするように調整する輝度調整部とを備えることを特徴とするプロジェクタ。
【請求項２】
請求項１に記載のプロジェクタにおいて、
前記輝度調整部は、前記光変調装置を制御することで前記投射光学装置から射出される光の輝度を低くするように調整することを特徴とするプロジェクタ。
【請求項３】
光源から射出された光を、入力される画像情報に応じて変調する光変調装置と、
変調した光学像を拡大投射する投射光学装置とを備えるプロジェクタ本体と、
記録媒体を挿抜するための挿抜口を有し、前記プロジェクタ本体に前記画像情報を出力する画像出力装置と、
前記画像出力装置における投射面側に設けられた操作部と、
前記操作部の操作による前記記録媒体の挿抜動作を検出する挿抜動作検出手段とを備えるプロジェクタに用いられる輝度調整方法であって、
前記挿抜動作検出手段の検出結果に基づいて、前記記録媒体の挿抜動作状態であるか否かを認識する挿抜動作認識ステップと、
前記挿抜動作認識ステップにより挿抜動作状態であると認識された場合に、前記投射光学装置から射出される光の輝度を低くするように調整する輝度調整ステップとを実行することを特徴とする輝度調整方法。
【発明の詳細な説明】
【技術分野】
【０００１】
本発明は、プロジェクタおよび輝度調整方法に関する。
【背景技術】
【０００２】
従来、光源から射出された光を、入力される画像情報に応じて変調して光学像を形成する光変調装置と、形成した光学像を拡大投射する投射光学装置とを備えるプロジェクタ本体と、このプロジェクタ本体に画像情報を出力する画像出力装置とを備え、プロジェクタ本体および画像出力装置が相対回転可能に構成されるプロジェクタが知られている（例えば、特許文献１参照）。
特許文献１に記載のプロジェクタでは、ＤＶＤ（Digital Versatile Disk）再生部（画像出力装置）の上方に設けられた連結部を介して投射部（プロジェクタ本体）が連結され、ＤＶＤ再生部に対して投射部が相対回転可能に構成されている。これにより、投射レンズ（投射光学装置）から射出される光の投射方向を変更することができる。
【先行技術文献】
【特許文献】
【０００３】
【特許文献１】特開２００５−９９６１７号公報
【発明の概要】
【発明が解決しようとする課題】
【０００４】
しかしながら、特許文献１に記載のプロジェクタでは、投射部をＤＶＤ再生部に対して回転させる際に、投射レンズから射出される光が使用者にあたり、使用者が不快感を感じる場合があるという問題がある。
また、特許文献１のプロジェクタでは、ＤＶＤ再生部におけるＤＶＤ（記録媒体）の挿抜口が投射レンズによる投射方向先端側にあるようなＤＶＤ再生部および投射部の相対位置においては、プロジェクタの使用者は、ＤＶＤの挿抜をする際に投射レンズによる投射方向側から挿抜をするため、投射レンズから射出される光が使用者にあたり、使用者が不快感を感じる場合があるという問題がある。
【０００５】
本発明の目的は、プロジェクタ本体および画像出力装置の相対回転動作状態、または記録媒体の挿抜動作状態において、使用者が快適に利用することができるプロジェクタおよび輝度調整方法を提供することにある。
【課題を解決するための手段】
【００１２】
本発明のプロジェクタは、光源から射出された光を、入力される画像情報に応じて変調する光変調装置と、変調した光学像を拡大投射する投射光学装置とを備えるプロジェクタ本体と、記録媒体を挿抜するための挿抜口を有し、前記プロジェクタ本体に前記画像情報を出力する画像出力装置と、前記画像出力装置における投射面側に設けられた操作部と、前記操作部の操作による前記記録媒体の挿抜動作を検出する挿抜動作検出手段と、前記プロジェクタ本体および前記挿抜動作検出手段を制御する制御手段と、を備えるプロジェクタであって、前記制御手段は、前記挿抜動作検出手段の検出結果に基づいて、前記記録媒体の挿抜動作状態であるか否かを認識する挿抜動作認識部と、前記挿抜動作認識部により挿抜動作状態であると認識された場合に、前記投射光学装置から射出される光の輝度を低くするように調整する輝度調整部とを備えることを特徴とする。
【００１３】
このような構成によれば、輝度調整部は、挿抜動作認識部にて記録媒体の挿抜動作状態であると認識された場合に、投射光学装置から射出される光の輝度を調整する。したがって、輝度調整部において、投射光学装置から射出される光の輝度を低くするように調整することにより、記録媒体の挿抜動作状態においても使用者が不快感を感じることなく、快適に利用することができる。
【００１４】
本発明では、前記輝度調整部は、前記光変調装置を制御することで前記投射光学装置から射出される光の輝度を低くするように調整することが好ましい。
このような構成によれば、輝度調整部は、光源から射出される光の輝度が低くなるように調整する場合などと比較して、迅速に投射光学装置から射出される光の輝度を調整することができる。
【００１６】
本発明の輝度調整方法は、光源から射出された光を、入力される画像情報に応じて変調する光変調装置と、変調した光学像を拡大投射する投射光学装置とを備えるプロジェクタ本体と、記録媒体を挿抜するための挿抜口を有し、前記プロジェクタ本体に前記画像情報を出力する画像出力装置と、前記画像出力装置における投射面側に設けられた操作部と、前記操作部の操作による前記記録媒体の挿抜動作を検出する挿抜動作検出手段とを備えるプロジェクタに用いられる輝度調整方法であって、前記挿抜動作検出手段の検出結果に基づいて、前記記録媒体の挿抜動作状態であるか否かを認識する挿抜動作認識ステップと、前記挿抜動作認識ステップにより挿抜動作状態であると認識された場合に、前記投射光学装置から射出される光の輝度を低くするように調整する輝度調整ステップとを実行することを特徴とする。
このような構成によれば、前述したプロジェクタの作用効果と同様の作用効果を享受することができる。
【図面の簡単な説明】
【００１７】
【図１】本発明の参考形態におけるプロジェクタを前方側から見た斜視図。
【図２】前記参考形態におけるプロジェクタを後方側から見た斜視図。
【図３】前記参考形態におけるプロジェクタを前方側から見た分解斜視図。
【図４】前記参考形態におけるプロジェクタが第１仮固定位置で仮固定されている状態において、天板を下方側から見た図。
【図５】前記参考形態におけるプロジェクタの概略構成を示すブロック図。
【図６】前記参考形態におけるプロジェクタの輝度調整処理を示すフローチャート。
【図７】本発明の一実施形態におけるプロジェクタの概略構成を示すブロック図。
【図８】前記実施形態におけるプロジェクタの輝度調整処理を示すフローチャート。
【発明を実施するための形態】
【００１８】
〔第１実施形態〕
以下、本発明の一実施形態を図面に基づいて説明する。
〔プロジェクタの概略構成〕
図１は、プロジェクタ１を前方側から見た斜視図であり、図２は、プロジェクタ１を後方側から見た斜視図である。図３は、プロジェクタ１を前方側から見た分解斜視図である。なお、図１〜図３では、説明の便宜上、プロジェクタ１の後方側から前方側に向かう方向をＸ軸とし、このＸ軸に直交する２軸をそれぞれＹ軸（水平軸）およびＺ軸（垂直軸）とする。以下の図面についても同様である。
プロジェクタ１は、図１〜図３に示すように、光源から射出された光を、入力される画像情報に応じて変調して光学像を形成し、形成した光学像を拡大投射するプロジェクタ本体２と、プロジェクタ本体２に画像情報を出力するＤＶＤプレーヤー３と、プロジェクタ本体２およびＤＶＤプレーヤー３を回転自在に連結させる連結機構４と、プロジェクタ本体２およびＤＶＤプレーヤー３の回転を規制する回転規制機構５と、プロジェクタ本体２およびＤＶＤプレーヤー３の相対回転動作を検出するための回転動作検出手段６（図４参照）とを備える。なお、回転動作検出手段６については後に詳述する。
【００１９】
プロジェクタ本体２は、図１および図２に示すように、ＤＶＤプレーヤー３の上方側（＋Ｚ軸方向側）に載置され、略直方体状に形成された上方側筐体２１と、上方側筐体２１の前面（＋Ｘ軸方向側の面）に露出する投射レンズ２２と、上方側筐体２１の上面（＋Ｚ軸方向側の面）の後方側（−Ｘ軸方向側）に設けられた操作パネル２３とを備える。この操作パネル２３は、プロジェクタ１の起動・調整等の操作およびＤＶＤプレーヤー３の再生・停止等の操作を実施するためのものである。ＤＶＤプレーヤー３は、このＤＶＤ操作パネル２３が操作されることで、ＤＶＤプレーヤー３に挿入されたＤＶＤ等の記録媒体に記録された画像情報や、音声情報等の再生・停止等を実施する。
【００２０】
画像出力装置としてのＤＶＤプレーヤー３は、デジタルデータとして画像情報等が記録されたＤＶＤ等の記録媒体を再生することで、記録媒体に記録された画像情報等を、画像ケーブル（図示略）を介してプロジェクタ本体２に出力するものである。このＤＶＤプレーヤー３は、図１および図２に示すように、プロジェクタ本体２の下方側（−Ｚ軸方向側）に配置され、略直方体状に形成された下方側筐体３１と、下方側筐体３１の前面の略中央部分に設けられたＤＶＤ挿抜口３２と、ＤＶＤ挿抜口３２の下方側に設けられたＤＶＤ動作表示部３３と、下方側筐体３１の背面（−Ｘ軸方向側の面）に設けられたインタフェースカバー３４およびインレットコネクタ３５とを備える。
【００２１】
ＤＶＤ挿抜口３２は、ＤＶＤ等の記録媒体が挿抜されるスロットインタイプの挿抜口であり、ＤＶＤプレーヤー３は、このＤＶＤ挿抜口３２に挿入された記録媒体に記録された画像情報等を再生する。また、ＤＶＤ挿抜口３２の側方には、記録媒体を排出する為の排出スイッチ３２Ａが取り付けられている。なお、排出スイッチ３２Ａについては後に詳述する。
ＤＶＤ動作表示部３３は、ＤＶＤプレーヤー３の再生・停止等の状態を表示する部分であり、使用者は、このＤＶＤ動作表示部３３を見ることで記録媒体の再生・停止等の状態を確認することができる。
【００２２】
インタフェースカバー３４の内部には、図示は省略するが、例えば、プロジェクタ１に外部から画像情報を入力するための画像入力端子などの各種インタフェースコネクタが設けられており、インタフェースカバー３４は、これらのインタフェースコネクタを保護する。そして、このインタフェースカバー３４を開放することで、各種インタフェースコネクタを利用することができる。なお、インタフェースカバー３４は省略してもよい。
インレットコネクタ３５は、ＡＣ電源ケーブルを外部から接続するためのコネクタであり、インタフェースカバー３４に覆われることなく露出している。
すなわち、各種インタフェースコネクタおよびインレットコネクタ３５は、下方側のＤＶＤプレーヤー３に設けられている。
【００２３】
連結機構４は、図３に示すように、プロジェクタ本体２の底板２４に固定される板状部材４１と、この板状部材４１に固定されるとともに、ＤＶＤプレーヤー３の天板３６に回転自在に取り付けられる回転部材４２と、この回転部材４２を天板３６に取り付ける複数の分割円環部材４３とを備える。
なお、図３では、上方側筐体２１から露出する投射レンズ２２（図１参照）や、下方側筐体３１に設けられたＤＶＤ挿抜口３２（図１参照）等の各部については図示を省略している。
【００２４】
板状部材４１は、平面視略十字形状に形成される板状の部材であり、略直交して四方に延出する４つの端部を有している。この板状部材４１の略中央位置には、回転部材４２が複数のネジにて固定されている。
回転部材４２は、略円筒形状の回転部材本体４２１と、この回転部材本体４２１の天板３６側の一端に軸方向と略直交して外側に向かって延出して設けられる延出部４２２を備える。
ここで、天板３６には、プレス成形等により、上方側に向かって突出する略円盤状の台座３６１が略中央位置に形成され、台座３６１における略中央位置には、略円形の開口部３６１Ａが形成されている。そして、回転部材４２は、板状部材４１に固定された状態で開口部３６１Ａに上方側から挿通される。
【００２５】
分割円環部材４３は、回転部材本体４２１の外径と略同じ内径を有する平板状の円環部材を２つの部分に分割した部材であり、回転部材４２が開口部３６１Ａに挿通した状態における天板３６と、延出部４２２との間隙と略同じ厚さに形成されている。
そして、分割円環部材４３は、天板３６と、延出部４２２との間隙に回転部材本体４２１を挟み込むように挿入され、複数のネジにて天板３６に固定されている。また、天板３６は、複数のネジにて下方側筐体３１に固定される。
【００２６】
回転規制機構５は、台座３６１の周縁における右側面側（＋Ｙ軸方向側）および左側面側（−Ｙ軸方向側）の２箇所位置に、上方側に向かって突出するように折り曲げ加工されたストッパ部５１Ａ，５１Ｂと、前面側（＋Ｘ軸方向側）および背面側（−Ｘ軸方向側）の２箇所位置に取り付けられたクリックバネ５２Ａ，５２Ｂとを備える。
ストッパ部５１Ａ，５１Ｂは、板状部材４１に当接することで、板状部材４１の所定方向への回転を規制する。具体的に、ストッパ部５１Ａは、プロジェクタ本体２における投射レンズ２２と、ＤＶＤプレーヤー３におけるＤＶＤ挿抜口３２とが同側にある状態、すなわち、図１および図３の状態において、板状部材４１に当接し、上方側から見て時計回り方向（図３中矢印Ａ）への板状部材４１の回転を規制する。また、ストッパ部５１Ｂは、投射レンズ２２と、ＤＶＤ挿抜口３２とが反対側にある状態、すなわち、図２の状態において、板状部材４１に当接し、反時計回り方向（図３中矢印Ｂ）への板状部材４１の回転を規制する。
【００２７】
クリックバネ５２Ａ，５２Ｂは、板状部材４１がストッパ部５１Ａ，５１Ｂに当接した際に、ストッパ部５１Ａ，５１Ｂにより規制される所定方向の回転とは逆方向の回転に対する抗力を板状部材４１に付加する。
したがって、板状部材４１を、ストッパ部５１Ａ，５１Ｂから離間させる方向に回転させるためには、クリックバネ５２Ａ，５２Ｂにより付加される抗力よりも大きな力を加える必要がある。すなわち、板状部材４１は、ストッパ部５１Ａ，５１Ｂに当接した状態で仮固定される。なお、本実施形態では、板状部材４１がストッパ部５１Ａに当接した状態の仮固定位置を第１仮固定位置（図１〜図３参照）とし、ストッパ部５１Ｂに当接した状態の仮固定位置を第２仮固定位置とする。
【００２８】
〔回転動作検出手段の構成〕
図４は、プロジェクタ１が第１仮固定位置で仮固定されている状態において、天板３６を下方側から見た図である。
回転動作検出手段６は、図４に示すように、各分割円環部材４３の略中央位置に取り付けられる平面視略矩形状のスイッチ６１Ａ，６１Ｂと、台座３６１に取り付けられ、スイッチ６１Ａ，６１Ｂの導通および非導通を検出するためのスイッチ用基板６２とを備える。
スイッチ６１Ａ，６１Ｂの隅部には、このスイッチ６１Ａ，６１Ｂにおける対角線の略延長線上に外側に向かって突出するように軸部６１１が設けられている。軸部６１１は、スイッチ６１Ａ，６１Ｂの隅部を中心として回動自在とされ、スイッチ６１Ａ，６１Ｂの隅部を中心として回転部材４２側に付勢されている。なお、スイッチ６１Ａ，６１Ｂは、軸部６１１に負荷が加えられていない状態においては導通しない（図４中スイッチ６１Ｂの状態）。また、スイッチ６１Ａ，６１Ｂは、軸部６１１に負荷が加えられ、軸部６１１がスイッチ６１Ａ，６１Ｂにおける回転部材４２側の面と略平行となるように押し込まれると導通する（図４中スイッチ６１Ａの状態）。
【００２９】
回転部材４２の延出部４２２には、プロジェクタ１が第１仮固定位置で仮固定されている状態において、クリックバネ５２Ａ側に突出する突出部４２２Ａが形成されている。この突出部４２２Ａは、プロジェクタ１が第１仮固定位置で仮固定されている状態においては、スイッチ６１Ａの軸部６１１に負荷を加え、プロジェクタ１が第２仮固定位置で仮固定されている状態においては、スイッチ６１Ｂの軸部６１１に負荷を加える位置に形成されている。
【００３０】
すなわち、プロジェクタ１が第１仮固定位置で仮固定されている状態においては、スイッチ６１Ａは導通状態となり、スイッチ６１Ｂは、非導通状態となる。一方、プロジェクタ１が第２仮固定位置で仮固定されている状態においては、スイッチ６１Ａは、非導通状態となり、スイッチ６１Ｂは、導通状態となる。したがって、スイッチ６１Ａ，６１Ｂは、プロジェクタ本体２およびＤＶＤプレーヤー３が第１仮固定位置（第１相対位置）または第２仮固定位置（第２相対位置）にあるか否かを、それぞれ検出する。
スイッチ用基板６２は、スイッチ６１Ａ，６１Ｂの導通（ＯＮ状態）および非導通（ＯＦＦ状態）を検出するための回路基板であり、後述する制御手段２６により制御される。そして、スイッチ用基板６２は、検出したＯＮまたはＯＦＦの各状態を制御手段２６に出力する。
【００３１】
〔プロジェクタ本体の概略構成〕
図５は、プロジェクタ１の概略構成を示すブロック図である。
プロジェクタ本体２は、図５に示すように、画像投射手段２５と、制御手段２６とで概略構成されている。
画像投射手段２５は、光源から射出される光を画像情報に応じて変調して光学像を形成し、形成した光学像をスクリーンＳｃ等の投射面に拡大投射するものである。この画像投射手段２５は、光源装置２５１と、液晶パネル２５２と、前述した投射レンズ２２とを備える。
【００３２】
光源装置２５１は、高圧放電ランプにて構成される光源ランプ２５３を備え、光源ランプ２５３は、光を液晶パネル２５２に向けて射出する。なお、光源装置２５１は、光源ランプ２５３に代えて、発光ダイオード、レーザダイオード、有機ＥＬ素子等の各種自己発光素子を備えていてもよい。
光変調装置としての液晶パネル２５２は、透過型の液晶パネルであり、画像情報に基づいて、液晶セル（図示略）に封入された液晶分子の配列を変化させ、光源ランプ２５３から射出された光を、透過若しくは遮断することにより画像データに応じて変調して光学像を形成し、この光学像を投射レンズ２２に射出する。
【００３３】
投射光学装置としての投射レンズ２２は、筒状の鏡筒（図示略）内に複数のレンズが収納された組レンズとして構成され、液晶パネル２５２から射出された光学像をスクリーンＳｃに向けて拡大投射するものである。そして、スクリーンＳｃには、射出された光学像に基づく投射画像が表示される。
なお、図示は省略したが、プロジェクタ本体２は、光源ランプ２５３から射出される光をＲＧＢ（Red Green Blue）の３色の光に分離する色光分離光学装置を備えている。また、前述した液晶パネル２５２は、色光分離光学装置にて分離されたＲＧＢの３色に対応して設けられている。さらに、プロジェクタ本体２は、３色の光学像を合成してカラー画像を表す光学像を生成する合成光学装置を備えている。
【００３４】
制御手段２６は、例えば、ＣＰＵ（Central Processing Unit）等を含んで構成され、
プロジェクタ本体２およびスイッチ用基板６２を制御する。この制御手段２６は、回転動作認識部２６１と、輝度調整部２６２とを備える。
回転動作認識部２６１は、スイッチ用基板６２から出力されるスイッチ６１Ａ，６１ＢのＯＮまたはＯＦＦの各状態に基づいて、プロジェクタ本体２およびＤＶＤプレーヤー３が相対回転動作状態であるか否かを認識する。
輝度調整部２６２は、回転動作認識部２６１によりプロジェクタ本体２およびＤＶＤプレーヤー３が相対回転動作状態であると認識された場合に、投射レンズ２２から射出される光の輝度を調整する。
【００３５】
〔プロジェクタの輝度調整処理〕
図６は、プロジェクタ１の輝度調整処理を示すフローチャートである。
プロジェクタ１は、電源が投入されると、画像情報に応じて形成された光学像をスクリーンＳｃに向けて拡大投射するとともに、以下の輝度調整処理を実行する。
まず、回転動作認識部２６１は、スイッチ用基板６２から出力されるスイッチ６１Ａ，６１ＢのＯＮまたはＯＦＦの各状態を監視することで、プロジェクタ本体２およびＤＶＤプレーヤー３が相対回転動作状態であるか否かを認識する（ステップＳ１：回転動作認識ステップ）。
【００３６】
具体的に、回転動作認識部２６１は、スイッチ６１ＡがＯＮ状態であり、スイッチ６１ＢがＯＦＦ状態である場合には、プロジェクタ１が第１仮固定位置で仮固定されている状態であると認識する。また、回転動作認識部２６１は、スイッチ６１ＡがＯＦＦ状態であり、スイッチ６１ＢがＯＮ状態である場合には、プロジェクタ１が第２仮固定位置で仮固定されている状態であると認識する。
そして、回転動作認識部２６１は、２つのスイッチ６１Ａ，６１Ｂの全てにおいて、ＯＦＦ状態である場合、すなわち、プロジェクタ本体２およびＤＶＤプレーヤー３が第１仮固定位置および第２仮固定位置にない場合には、プロジェクタ本体２およびＤＶＤプレーヤー３が相対回転動作状態であると認識する。
【００３７】
回転動作認識ステップＳ１により相対回転動作状態であると認識されると、輝度調整部２６２は、投射レンズ２２から射出される光の輝度を低くするように調整を開始する（ステップＳ２：輝度調整ステップ）。
具体的に、輝度調整部２６２は、回転動作認識部２６１によりプロジェクタ本体２およびＤＶＤプレーヤー３が相対回転動作状態であると認識されると、液晶パネル２５２に、全ての液晶セルにおいて光源ランプ２５３から射出された光を遮断させるための画像情報、すなわち、スクリーンＳｃに表示される表示画像が全黒画像となるような画像情報を出力して投射レンズ２２から射出される光の輝度を低くするように調整する。一方、輝度調整部２６２は、回転動作認識部２６１によりプロジェクタ本体２およびＤＶＤプレーヤー３が相対回転動作状態でないと認識されると、すなわち、プロジェクタ１が第１仮固定位置または第２仮固定位置にある場合には、投射レンズ２２から射出される光の輝度を調整しない。したがって、この場合には、液晶パネル２５２には、ＤＶＤ挿抜口３２に挿入された記録媒体に記録された画像情報が入力される。
【００３８】
輝度調整ステップＳ２により輝度が調整されると、回転動作認識部２６１は、プロジェクタ本体２およびＤＶＤプレーヤー３が相対回転動作を終了したか否かを認識する（ステップＳ３：回転動作終了認識ステップ）。
回転動作終了認識ステップＳ３により相対回転動作が終了したと認識されると、輝度調整部２６２は、投射レンズ２２から射出される光の輝度の調整を停止する（ステップＳ４：輝度調整停止ステップ）。
以上のステップＳ１〜Ｓ４を実行することにより、プロジェクタ１の輝度調整処理が実行される。
【００３９】
本実施形態に係るプロジェクタ１によれば、次のような効果がある。
（１）輝度調整部２６２は、回転動作認識部２６１にてプロジェクタ本体２およびＤＶＤプレーヤー３が相対回転動作状態であると認識された場合に、投射レンズ２２から射出される光の輝度を低くするように調整するので、プロジェクタ本体２およびＤＶＤプレーヤー３の相対回転動作状態においても使用者が不快感を感じることなく、快適に利用することができる。
【００４０】
（２）回転動作検出手段は、プロジェクタ本体２およびＤＶＤプレーヤー３が第１仮固定位置および第２仮固定位置にあるか否かを、それぞれ検出するスイッチ６１Ａ，６１Ｂを備えるので、回転動作認識部２６１は、プロジェクタ本体２およびＤＶＤプレーヤー３が相対回転動作状態であることを認識することができるだけでなく、プロジェクタ本体２およびＤＶＤプレーヤー３が各仮固定位置にあることを確実に認識することができる。そして、第１仮固定位置および第２仮固定位置は、プロジェクタ１の使用に適した位置とされているので、プロジェクタ本体２およびＤＶＤプレーヤー３が相対回転可能に構成されるプロジェクタ１を好適に利用することができる。
【００４１】
（３）輝度調整部２６２は、液晶パネル２５２に、全ての液晶セルにおいて光源ランプ２５３から射出された光を遮断させるための画像情報を出力して投射レンズ２２から射出される光の輝度を低くするように調整するので、光源ランプ２５３から射出される光の輝度が低くなるように調整する場合などと比較して、迅速に投射レンズ２２から射出される光の輝度を調整することができる。
【００４２】
〔第２実施形態〕
以下、本発明の第２実施形態に係るプロジェクタ１Ａについて説明する。
なお、以下の説明では、既に説明した部分については、同一符号を付してその説明を省略する。
前記第１実施形態に係るプロジェクタ１では、輝度調整部２６２は、回転動作認識部２６１により相対回転動作状態であると認識された場合に、投射レンズ２２から射出される光の輝度を調整していたが、本実施形態に係るプロジェクタ１Ａでは、記録媒体の挿抜動作状態であるか否かを認識する挿抜動作認識部２６３を備え、輝度調整部２６２Ａは、挿抜動作認識部２６３により挿抜動作状態であると認識された場合に、投射レンズ２２から射出される光の輝度を調整している点で異なる。
【００４３】
図７は、プロジェクタ１Ａの概略構成を示すブロック図である。
ＤＶＤプレーヤー３Ａは、図７に示すように、挿抜動作検出手段３７を備える。
挿抜動作検出手段３７は、記録媒体の挿入を検出する挿入検出スイッチ３７１と、記録媒体の排出を行うための排出スイッチ３２Ａとにより構成される。
挿入検出スイッチ３７１は、ＤＶＤ挿抜口の内部に設けられた機械式スイッチであり、ＤＶＤ挿抜口３２から記録媒体の一部が挿入されると、挿入された記録媒体を検出する。そして、挿入検出スイッチ３７１にて記録媒体が検出されると、ＤＶＤプレーヤー３Ａは、挿入された記録媒体を引き込んで内部に収納する。
【００４４】
排出スイッチ３２Ａは、押下されることでＤＶＤプレーヤー３に記録媒体の排出を開始させるためのスイッチであり、この排出スイッチ３２Ａが押下されると、ＤＶＤプレーヤー３Ａは、内部に収納されている記録媒体を外部に排出する。
挿入検出スイッチ３７１および排出スイッチ３２Ａは、制御手段２６Ａにより制御される。そして、挿入検出スイッチ３７１は、記録媒体を検出した状態、排出スイッチ３２Ａは、押下された状態を、それぞれ制御手段２６Ａに出力する。
【００４５】
制御手段２６Ａは、プロジェクタ本体２Ａおよび挿抜動作検出手段３７を制御するものであり、挿抜動作認識部２６３と、輝度調整部２６２Ａとを備える。
挿抜動作認識部２６３は、挿入検出スイッチ３７１および排出スイッチ３２Ａから出力される各状態に基づいて、記録媒体の挿抜動作状態であるか否かを認識する。
輝度調整部２６２Ａは、挿抜動作認識部２６３により記録媒体の挿抜動作状態であると認識された場合に、投射レンズ２２から射出される光の輝度を調整する。
【００４６】
図８は、プロジェクタ１Ａの輝度調整処理を示すフローチャートである。
プロジェクタ１Ａは、電源が投入されると、画像情報に応じて形成された光学像をスクリーンＳｃに向けて拡大投射するとともに、以下の輝度調整処理を実行する。
まず、挿抜動作認識部２６３は、挿抜動作検出手段３７から出力される記録媒体の挿入および排出の各状態を監視することで、記録媒体の挿抜動作状態であるか否かを認識する（ステップＳ１１：挿抜動作認識ステップ）。
具体的に、挿抜動作認識部２６３は、挿入検出スイッチ３７１にて記録媒体が検出された後、ＤＶＤプレーヤー３Ａへの記録媒体の収納が完了するまでの間、および排出スイッチ３２Ａが押下された後、ＤＶＤプレーヤー３Ａからの記録媒体の排出が完了するまでの間を、記録媒体の挿抜動作状態であると認識する。
【００４７】
挿抜動作認識ステップＳ１１により挿抜動作状態であると認識されると、輝度調整部２６２Ａは、投射レンズ２２から射出される光の輝度を低くするように調整を開始する（ステップＳ１２：輝度調整ステップ）。
具体的に、輝度調整部２６２Ａは、挿抜動作認識部２６３により記録媒体の挿抜動作状態であると認識されると、液晶パネル２５２に、全ての液晶セルにおいて光源ランプ２５３から射出された光を遮断させるための画像情報を出力して投射レンズ２２から射出される光の輝度を低くするように調整する。
【００４８】
輝度調整ステップＳ１２により輝度が調整されると、挿抜動作認識部２６３は、記録媒体の挿抜動作が終了したか否かを認識する（ステップＳ１３：挿抜動作終了認識ステップ）。
挿抜動作終了認識ステップＳ１３により挿抜動作が終了したと認識されると、輝度調整部２６２Ａは、投射レンズ２２から射出される光の輝度の調整を停止する（ステップＳ１４：輝度調整停止ステップ）。
以上のステップＳ１１〜Ｓ１４を実行することにより、プロジェクタ１Ａの輝度調整処理が実行される。
【００４９】
このような本実施形態においても、前記第１実施形態と同様の作用効果を奏することができる他、以下の作用効果をも奏することができる。
すなわち、輝度調整部２６２Ａは、挿抜動作認識部２６３にて記録媒体の挿抜動作状態であると認識された場合に、投射レンズ２２から射出される光の輝度を調整するので、記録媒体の挿抜動作状態においても使用者が不快感を感じることなく、快適に利用することができる。
【００５０】
〔実施形態の変形〕
なお、本発明は前記各実施形態に限定されるものではなく、本発明の目的を達成できる範囲での変形、改良等は本発明に含まれるものである。
前記各実施形態では、回転動作検出手段および挿抜動作検出手段３７は、スイッチ６１Ａ，６１Ｂや、挿入検出スイッチ３７１などのスイッチ、および排出スイッチ３２Ａにより構成されていたが、例えば、光学式のセンサなどを用いてもよく、要するに、相対回転動作および挿抜動作を検出するためのものであればよい。
前記各実施形態では、輝度調整部２６２，２６２Ａは、液晶パネル２５２を制御することで投射レンズ２２から射出される光の輝度を調整していたが、例えば、光源から射出する光を減光したり、投射光学装置から射出される光をシャッターなどにより遮光したりするようにしてもよい。要するに、投射光学装置から射出される光の輝度を調整することができればよい。
【００５１】
前記第２実施形態では、輝度調整部２６２Ａは、挿抜動作認識部２６３により記録媒体の挿抜動作状態であると認識された場合に、投射レンズ２２から射出される光の輝度を調整していたが、例えば、回転動作認識部２６１にてプロジェクタ１が第１仮固定位置で仮固定されている状態であると認識され、かつ、挿抜動作認識部２６３により記録媒体の挿抜動作状態であると認識された場合にのみ、輝度を調整するようにしてもよい。
前記第２実施形態では、プロジェクタ本体２およびＤＶＤプレーヤー３が相対回転可能に構成されるプロジェクタ１Ａに、挿抜動作認識部２６３および輝度調整部２６２Ａを実装していたが、プロジェクタ本体および画像出力装置は、相対回転可能に構成されていなくてもよい。要するに、記録媒体を挿抜するための挿抜口を有するプロジェクタであればよい。
【００５２】
前記各実施形態では、透過型の液晶パネル２５２を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
前記各実施形態では、画像出力装置として、ＤＶＤプレーヤー３，３Ａを例示したが、例えば、ビデオプレーヤーなどであってもよく、要するに、プロジェクタ本体に画像情報を出力するものであればよい。
【産業上の利用可能性】
【００５３】
本発明は、プロジェクタに利用でき、特に、プロジェクタ本体と、画像出力装置とを備えるプロジェクタに好適に利用することができる。
【符号の説明】
【００５４】
１，１Ａ…プロジェクタ、２，２Ａ…プロジェクタ本体、３，３Ａ…ＤＶＤプレーヤー（画像出力装置）、４…連結機構、６…回転動作検出手段、２２…投射レンズ（投射光学装置）、２６，２６Ａ…制御手段、３２…ＤＶＤ挿抜口（挿抜口）、３７…挿抜動作検出手段、６１Ａ，６１Ｂ…スイッチ（回転動作検出手段）、６２…スイッチ用基板（回転動作検出手段）、２５２…液晶パネル（光変調装置）、２６１…回転動作認識部、２６２，２６２Ａ…輝度調整部、２６３…挿抜動作認識部、Ｓ１…回転動作認識ステップ、Ｓ２，Ｓ１２…輝度調整ステップ。
【図１】
0004488112.tif 000002
【図２】
0004488112.tif 000003
【図３】
0004488112.tif 000004
【図４】
0004488112.tif 000005
【図５】
0004488112.tif 000006
【図６】
0004488112.tif 000007
【図７】
0004488112.tif 000008
【図８】
0004488112.tif 000009